(57)【要約】【課題】前傾を防止できるフォークリフト用アタッチメントを提供する。【解決手段】フォーク５の各側面部５ｂが抜け止めピン１２に接した状態で、プレートナット１４が平面部５ａの下面５ａ１に接するように配置されている。孔１５が形成された板状のブラケット１６が各側面部５ｂの下端縁５ｂ１に接するように配置され、孔１５にボルト１７が挿入され、ボルト１７がプレートナット１４のロックナット１８に螺合されている。これにより、プレートナット１４が平面部５ａを水平面部４ａに押し付けている。【選択図】図２
2016005978.tif 000002
【特許請求の範囲】
【請求項１】
被搭載物の荷重を受ける平面部と、該平面部の両端側から延びる２つの側面部とからなりコの字形状の断面を有するフォークを備えたフォークリフトに装着するフォークリフト用アタッチメントであって、
前記被搭載物を搭載する搭載部と、
該搭載部に固定され前記フォークと連結する連結部と、
前記平面部を前記連結部に押し付ける押圧手段と
を備える、フォークリフト用アタッチメント。
【請求項２】
前記押圧手段は、
前記平面部に接するように配置される押圧部と、
該押圧部が前記平面部を前記連結部に押し付けた状態で固定する固定部材と
を備える、請求項１に記載のフォークリフト用アタッチメント。
【請求項３】
前記押圧部は板状である、請求項２に記載のフォークリフト用アタッチメント。
【請求項４】
前記被搭載物は太陽熱集熱管である、請求項１〜３のいずれか一項に記載のフォークリフト用アタッチメント。
【発明の詳細な説明】
【技術分野】
【０００１】
この発明は、フォークリフト用アタッチメントに係り、特に、フォークリフトのフォークに装着して被搭載物を搭載するためのフォークリフト用アタッチメントに関する。
【背景技術】
【０００２】
長尺物を搭載するためにフォークリフトのフォークに装着するアタッチメントが特許文献１に記載されている。このアタッチメントは、長尺の鞘状体に形成された中空部にフォークを挿入することにより装着される。
【先行技術文献】
【特許文献】
【０００３】
【特許文献１】特開平７−２５７８９４号公報
【発明の概要】
【発明が解決しようとする課題】
【０００４】
しかしながら、ハンドリフト（トラバーリフト）の場合、そのフォークは通常、水平方向に延びる水平面部と、鉛直方向に延びる２つの側面部とからなりコの字形状の断面を有している。特許文献１のようなアタッチメントをハンドリフトのフォークに装着しようとすると、２つの側面部の寸法精度が悪い場合には、側面部と中空部の内壁との間に隙間が生じ、アタッチメントがフォークに対してがたついてしまう。この状態でアタッチメント上に長尺物を搭載すると、その重みでアタッチメントが前方に向かって傾いてしまうといった問題点があった。
【０００５】
この発明はこのような問題点を解決するためになされたもので、前傾を防止できるフォークリフト用アタッチメントを提供することを目的とする。
【課題を解決するための手段】
【０００６】
この発明に係るフォークリフト用アタッチメントは、被搭載物の荷重を受ける平面部と、平面部の両端側から延びる２つの側面部とからなりコの字形状の断面を有するフォークを備えたフォークリフトに装着するフォークリフト用アタッチメントであって、被搭載物を搭載する搭載部と、搭載部に固定されフォークと連結する連結部と、平面部を連結部に押し付ける押圧手段を備える。
押圧手段は、平面部に接するように配置される押圧部と、押圧部が平面部を連結部に押し付けた状態で固定する固定部材とを備えてもよい。押圧部は板状であってもよい。
被搭載物は太陽熱集熱管であってもよい。
【発明の効果】
【０００７】
この発明によれば、フォークと連結部とを連結することでアタッチメントをフォークに装着する際に、押圧手段がフォークの平面部を連結部に押し付けるので、アタッチメントの前傾を防止することができる。
【図面の簡単な説明】
【０００８】
【図１】本発明の実施の形態に係るフォークリフト用アタッチメントの斜視図である。
【図２】この実施の形態に係るフォークリフト用アタッチメントの部分拡大下側斜視図である。
【図３】この実施の形態に係るフォークリフト用アタッチメントをフォークに取り付ける手順を説明するための図である。
【発明を実施するための形態】
【０００９】
以下、この発明の実施の形態を添付図面に基づいて説明する。
図１には、被搭載物である太陽熱集熱管１を搭載するアタッチメント２が示されている。アタッチメント２は、太陽熱集熱管１を搭載する搭載部３と、搭載部３に固定された連結部４とを備えている。連結部４とフォーク５とを連結することにより、アタッチメント２がフォーク５に装着されている。尚、図１において、フォーク５については、アタッチメント２と関連する部分のみを図示している。
【００１０】
図２に示されるように、フォーク５は、太陽熱集熱管１の荷重を受け、水平方向に延びる平面部５ａと、平面部５ａの両端から鉛直方向に延びる２つの側面部５ｂ，５ｂとからなりコの字形状の断面を有している。連結部４は、水平方向に延びる水平面部４ａと、水平面部４ａから鉛直方向に延びる２つの側面部４ｂ，４ｂとからなりコの字形状の断面を有している。フォーク５を連結部４内に挿入してフォーク５と連結部４とを連結することにより、アタッチメント２はフォーク５に装着されている。ここで、連結部４の２つの側面部４ｂ，４ｂがそれぞれフォーク５の２つの側面部５ｂ，５ｂに接するように、連結部４を構成することが好ましい。これにより、フォーク５に対する水平方向のアタッチメント２の移動を防止できる。ただし、この構成は必須のものではない。
【００１１】
各側面部４ｂにおいて、搭載部３に固定されている側とは反対側の端部付近に孔１１が形成され、各孔１１に抜け止めピン１２が挿入され、スナップピン１３によって抜け止めピン１２が孔１１から抜けないように固定されている。抜け止めピン１２がフォーク５の各側面部５ｂに当接しているので、アタッチメント２がフォーク５の先端方向に向かって移動しようとしても、アタッチメント２は、フォーク５の長さ方向へ移動することができない。したがって、抜け止めピン１２により、アタッチメント２がフォーク５から抜けてしまうのを防止している。
【００１２】
フォーク５の各側面部５ｂが抜け止めピン１２に接した状態で、板状の押圧部であるプレートナット１４が平面部５ａの下面５ａ１に接するように配置されている。フォーク５が連結部４に挿入された状態において、板状のブラケット１６が、フォーク５の各側面部５ｂの下端縁５ｂ１に接するように配置されて、側面部４ｂ，４ｂに対して固定されている。ブラケット１６には、内周面に雌ねじが設けられた孔１５が形成されており、孔１５にボルト１７が螺入され、ボルト１７の先端がプレートナット１４及びロックナット１８に螺合されている。ボルト１７を締めこむことで、プレートナット１４が平面部５ａを水平面部４ａに押し付けるので、フォーク５に対するアタッチメント２のがたつきを防止できる。ここで、ブラケット１６とボルト１７とロックナット１８とは、プレートナット１４が平面部５ａを水平面部４ａに向かって押し付けた状態で固定する固定部材を構成する。また、プレートナット１４と、ブラケット１６と、ボルト１７と、ロックナット１８とは、平面部５ａを水平面部４ａに向かって押し付ける押圧手段を構成する。
【００１３】
特に、平面部５ａを水平面部４ａに向かって押し付ける押圧手段を、フォーク５の先端部５ｃよりも、先端部５ｃとは反対側の端部５ｄに近い位置に配置することにより、搭載部３に太陽熱集熱管１（図１参照）を搭載した場合に、太陽熱集熱管１の重みでアタッチメント２が前傾してしまうのを防止できる。
【００１４】
次に、図３に基づいて、アタッチメント２をフォーク５に装着する手順について説明する。
まず、図３（ａ）に示されるように、コの字形状の断面を有する各フォーク５を、コの字形状の断面を有する各連結部４に挿入してフォーク５と連結部４とを連結する。次に、図３（ｂ）に示されるように、各側面部４ｂに形成された各孔１１に抜け止めピン１２を挿入し、スナップピン１３で抜け止めピン１２を固定する。最後に、図３（ｃ）に示されるように、ボルト１７を孔１５に通してロックナット１８に螺合させた状態のブラケット１６を、フォーク５の各側面部５ｂの下端縁５ｂ１に接するように配置し、プレートナット１４を平面部５ａの下面５ａ１に接するように配置する。ボルト１７をロックナット１８内に挿入するように螺合していくと、プレートナット１４が平面部５ａを水平面部４ａに押し付けた状態で固定される。ボルト１７をロックナット１８に螺合させるときのみ、六角レンチが必要になるだけで、それ以外は特別な工具を必要とせずに、アタッチメント２をフォーク５に簡単に装着することができる。
【００１５】
このように、フォーク５と連結部４とを連結することでアタッチメント２をフォーク５に装着する際に、プレートナット１４がフォーク５の平面部５ａを連結部４に押し付けるので、アタッチメント２の前傾を防止することができる。
【００１６】
この実施の形態では、押圧手段の押圧部としてプレートナット１４を用い、固定部材として、ブラケット１６とボルト１７とロックナット１８とを用いたが、この形態に限定するものではない。平面部５ａを連結部４に押し付ける状態で固定できるものであれば、どのようなものであってもよい。例えば、特開平１０−３１６３８６号公報に開示されるように、押圧部として、回転可能なカムを用い、固定部材として、カムに結合された回動軸部材とともに回転するラチェットホイールと、ラチェットホイールに係合可能なストッパ爪とを用い、カムが平面部５ａを連結部４に押し付けた状態でストッパ爪をラチェットホイールに係合させて固定してもよい。
【００１７】
この実施の形態では、連結部４は、フォーク５と同じようにコの字形状の断面を有していたが、この形態に限定するものではない。フォーク５の平面部５ａの下面５ａ１から平面部５ａを連結部４に押し付けた状態で固定する押圧手段を配置できる構成であればどのようなものでもよく、例えば、連結部４は、矩形の断面を有する筒状であってもよく、または、水平面部４ａのみからなるものであってもよい。
【００１８】
この実施の形態では、被搭載物として太陽熱集熱管１を例にして説明していたが、これに限定するものではない。特に、被搭載物として長尺物に限定するものではなく、任意の形状及び任意の重量のものの搭載に使用することができる。
【符号の説明】
【００１９】
１  太陽熱集熱管、２  アタッチメント、３  搭載部、４  連結部、５  フォーク、５ａ  （フォークの）平面部、５ｂ  （フォークの）側面部、１４  プレートナット（押圧部，押圧手段）、１６  ブラケット（固定部材，押圧手段）、１７  ボルト（固定部材，押圧手段）、１８  ロックナット（固定部材，押圧手段）。
【図１】
2016005978.tif 000003
【図２】
2016005978.tif 000004
【図３】
2016005978.tif 000005